(57)【要約】      （修正有）【課題】被写体の構図の決定並びに水平方向，垂直方向の位置の確認を，的確に，迅速に，簡単に，かつ快適にできる。【解決手段】液晶モニターの外枠の外周部の外側部分の左右及び上下の同一位置に，同一線分（外付け格子線）を設ける。左右及び上下の線分（外付け格子線）を印刷あるいは刻み込んだ，ビニール，紙製のフレームを，液晶モニターの外枠に，予め貼りつける。液晶モニターの外周部の外側部分に貼りつけたフレームを使用し，被写体の構図の決定を行うとともに，水平方向，垂直方向の位置の確認を行う。【選択図】図１
0003104614.tif 000002
【実用新案登録請求の範囲】
【請求項１】
液晶モニター付き光学機器の，四角形の液晶モニターの外周部に，液晶モニター部分を切り抜，貼りつけ可能な，四辺形のシール式フレームで，
このシール式フレームの内枠は，液晶モニターの外枠より同等以上の大きさを有し，四辺形の内枠の四辺から外側方向に向かい，各辺に２つずつ設けられている線分（外付け格子線）であることを特徴とする。
【請求項２】
前記のシール式フレームは，四辺形の中心線に対して，左右対称，上下対称に設けた線分（外付け格子線）が，印刷あるいは刻み込むことを特徴とする。
【考案の詳細な説明】
【技術分野】
【０００１】  この考案は，液晶モニター付き光学機器（デジタルカメラ，デジタルビデオカメラ，カメラ機能付携帯電話）を対象に，構図決定並びに水平，垂直方向位置確認のため，左右，上下対称の２対の線分（外付け格子線）を設け，液晶モニターの外枠部分に貼りつける，ビニール又は紙製の四辺形のシール式フレームに関するものである。
【背景技術】
【０００２】  従来，液晶モニター付き光学機器を対象に，線分（外付け格子線）を設けたシール式フレームはなかった。
液晶モニター上に格子線や方眼スクリーンを設ける方法はあった。
【考案が解決しようとする課題】
【０００３】  これは，次のような問題点があった。
（１）液晶モニター付き光学機器の利用者は，撮影に際して，液晶モニター上の画面を見ながら，経験と勘により，構図の決定並びに水平及び垂直方向の位置の確認を行うが，モニターの画面が広いため，構図の決定及び水平，垂直方向の位置確認に時間がかかり，折角のシャッターチャンスを逃すことが多い。
（２）撮影後の映像をみてみると，水平又は垂直方向の位置が曲がっていることが多い。
本考案は，以上のような欠点をなくすためになされたものである。
【課題を解決するための手段】
【０００４】  撮影者が，撮影に際し，被写体の構図の決定並びに水平及び垂直方向の位置の確認を容易にできるようにするために，液晶モニター部分を切り抜いた四辺形のフレームの内周部から外側方向に向かう左右，上下対称の２対の線分を印刷又は刻み込んだ，液晶モニターの外周部に貼りつけることが可能な，シール式のフレームを用意する。
本考案は，以上の構成よりなる，線分（外付け格子線）を設けたシール式フレームである。
【考案を実施するための最良の形態】
【０００５】  以下，考案を実施するための最良の形態について説明する。
（１）液晶モニター付き光学機器の利用者が，撮影に際して，被写体の構図の決定並びに水平及び垂直方向の位置の確認を容易にできるようにするために，液晶モニター部分を切り抜いた四辺形のフレームの内周部から外側方向に向かう左右，上下対称の２対の線分（外付け格子線）を印刷又は刻み込んだ，ビニール，紙等で作ったシール式フレームを用意する。
（２）液晶モニター付き光学機器の利用者は，上記のシール式フレームを液晶モニター付き光学機器の液晶モニターの外周部に予め貼りつけ，必要に応じて使用する。
（３）本考案は，以上のような構造であり，線分（外付け格子線）を設けたシール式フレーム付きの光学機器の利用者は，撮影に際して，予め液晶モニターの外周部に貼りつけたフレームを使用し，被写体の構図の決定のために左右，上下の線分（外付け格子線）を利用するとともに，例えば，海等の水平線を確保したいと思えば，フレームの左右の同一位置に設けてある線分（外付け格子線）に被写体の水平線を合わせればよく，また，柱等の垂直線を確保したいと思えば，フレームの上下の同一位置に設けてある線分（外付け格子線）に被写体の垂直線を合わせるようにすればよい。
これらの行動は，フレームの左右，上下対称の位置に線分（外付け格子線）が設けられていることにより，特別に操作しなくても，無意識のうちに，構図の決定並びに水平線，垂直線の確保が，的確に，迅速に，容易に，かつ快適に行われるものと思われる。
【考案の効果】
【０００６】（１）液晶モニター付き光学機器を使用する人の立場からすると，撮影する際に，被写体の構図の決定並びに水平，垂直方向の位置の確認が，的確に，迅速に，容易に，かつ快適に行え，シャッターチャンスを逃さない。
（２）このような被写体の構図の決定並びに水平，垂直方向の位置確認のための線分（外付け格子線）を設けたシール式フレームの製造は，特別の設計，大規模製造機械の導入等を必要としないため，利用者は安価で購入できる。
（３）液晶モニター付き光学機器を製造，販売する側の立場からすると，線分（外付け格子線）を設けたシール式フレームの製造にあたっては，特別の設計，大規模製造機械の導入等を必要としないため，消費者に安価で提供できる。
（４）既に発売されている液晶モニター内にグリッド表示機能を持つ光学機器についても，線分（外付け格子線）を設けることにより，液晶モニター内のグリッド表示は不要と思われる。
なお，より正確な構図の決定を必要とする場合に備えて，直線で表示される液晶モニター内の格子線に代わり，縦と横の線が交差する部分に，「＋」印や「・」印を表示することも考えられる。
この場合，線分（外付け格子線）の延長線上にある「＋」印，又は「・」印が線分（外付け格子線）と一体となり，内部格子線としての機能を保つとともに，液晶モニター内をすっきり見やすくさせ，撮影者は，より的確に，迅速に，容易に，かつ快適に構図の決定をすることが可能である。
（５）線分（外付け格子線）の数は，理想とされる黄金分割の考えに基づき，液晶モニターの縦横を３分割する２本，あるいは，縦横を４分割する３本が考えられる。
（６）液晶モニター付き光学機器の液晶モニターのサイズは，１．５インチ位から３．５インチ位までと，さまざまであり，このため，それぞれのサイズに合わせたシール式フレームを用意する必要がある。
また，複数のサイズに合わせることが可能な，１枚のシール式フレームに，簡単に切り離すことができる複数のサイズの切り込みを入れ，必要に応じて最適なサイズのシール式フレームをはがして使う方法も考えられる。
（７）今後，新たに製造される液晶モニター付き光学機器については，予め，製造過程において，液晶モニターの外枠部分に線分（外付け格子線）を印刷あるいは刻印することも考えられる。
【図面の簡単な説明】
【０００７】
【図１】  本考案のシール式フレームの正面図である。
【図２】  本考案のシール式フレームの背面図である。
【図３】  本考案の複数のサイズの切り込みを入れたシール式フレームの正面図である。
【図４】  本考案の複数のサイズの切り込みを入れたシール式フレームの背面図である。
【符号の説明】
【０００８】    １  構図の決定並びに水平方向位置確認のための線分（外付け格子線）
２  構図の決定並びに垂直方向位置確認のための線分（外付け格子線）
３  のりしろ（両面テープ）
４  切り込み
【図１】
0003104614.tif 000003
【図２】
0003104614.tif 000004
【図３】
0003104614.tif 000005
【図４】
0003104614.tif 000006
【手続補正書】
【提出日】平成16年4月29日(2004.4.29)
【手続補正１】
【補正対象書類名】実用新案登録請求の範囲
【補正対象項目名】全文
【補正方法】変更
【補正の内容】
【実用新案登録請求の範囲】
【請求項１】
液晶モニタ−付き光学機器の，四角形の液晶モニタ−の外周部に，液晶モニタ−部分を切り抜，貼りつけ可能な，四辺形のシ−ル式フレ−ムで，このシ−ル式フレ−ムの内枠は，液晶モニタ−の外枠より同等以上の大きさを有し，四辺形の内枠の四辺から外側方向に向かい，各辺に２つずつ設けられている線分（外付け格子線）であることを特徴とする。
【請求項２】
前記のシ−ル式フレ−ムは，四辺形の中心線に対して，左右対称，上下対称に設けた線分（外付け格子線）が，印刷あるいは刻み込むことを特徴とする請求項１記載の四辺形のシ−ル式フレ−ムである。